(57)【要約】【課題】  異なる方式に従って電話をかける電話番号が混在して記憶された場合であっても、これらの電話番号を同様に扱うことのできる携帯端末を提供する。【解決手段】  携帯電話１において電話帳登録がなされる場合、入力部１２において入力された電話番号の先頭に「＋」記号がついていれば、当該電話番号はそのまま電話帳メモリ１３に登録される。一方、「＋」記号がついていなければ、当該電話番号は、先頭にある「０」を削除され、さらに、「＋」と日本の国番号である「８１」とを先頭に付加された後、電話帳メモリ１３に登録される。【選択図】        図１
2005159799.tif 000002
【特許請求の範囲】
【請求項１】
電話番号を入力する番号入力手段と、
電話番号を含む情報である電話帳情報を記憶する電話帳記憶手段と、
前記電話帳記憶手段に記憶された電話番号または前記番号入力手段に入力された電話番号に基づいて発信する発信手段と、
外部の端末から発信された着呼信号を受信する着信手段と、
前記番号入力手段に入力された電話番号を前記電話帳記憶手段に記憶させる制御手段とを備え、
前記制御手段は、前記番号入力手段に入力された電話番号が、特定の通信方式以外の通信方式に従った電話番号である場合には、当該入力された電話番号を前記特定の通信方式に従った電話番号に変換して、前記電話帳記憶手段に記憶させる、携帯端末。
【請求項２】
前記特定の通信方式は、ＧＳＭ（Ｇｒｏｂａｌ  Ｓｙｓｔｅｍｓ  ｆｏｒ  Ｍｏｂｉｌｅ  ｃｏｍｍｕｎｉｃａｔｉｏｎ）方式であり、
前記制御部は、前記番号入力手段に入力された電話番号が、日本国内で発信できる電話番号である場合には、当該電話番号から、先頭にある日本の国内プレフィックス番号を除き、かつ、当該電話番号の先頭に、ＧＳＭ方式において国際発信を示す記号、および、当該国際発信を示す記号の次に国際事業者コードを、先頭に追加させて、前記電話帳記憶手段に記憶させる、請求項１に記載の携帯端末。
【請求項３】
前記着信手段が受信した着呼信号の送信先の電話番号の履歴および／または前記発信手段が発信した電話番号の履歴を記憶する履歴記憶手段と、
電話番号を表示手段と、
前記履歴記憶手段に記憶された電話番号の中で、日本国内で受信した着呼信号についての電話番号、および、日本国内で発信された電話番号を、前記表示手段には、国番号を付けない態様で表示させ、前記履歴記憶手段には、国番号を付与して前記特定の通信方式に従った電話番号で記憶させる履歴制御手段とをさらに備える、請求項２に記載の携帯端末
。
【請求項４】
電話番号を表示する表示手段と、
前記番号入力手段に入力された電話番号および前記電話帳記憶手段に記憶された電話番号の中の、日本国内で発信できる電話番号を、日本国内で発信できる態様で前記表示手段に表示させる表示制御手段とをさらに備える、請求項２または請求項３に記載の携帯端末。
【請求項５】
発信する場所についての情報を入力する場所入力手段と、
前記場所入力手段に入力された場所が前記特定の通信方式で通信する場所であり、前記番号入力手段に入力された電話番号が当該特定の通信方式以外の通信方式に従った電話番号である場合には、前記入力された電話番号を当該特定の通信方式に従った電話番号となるように補正する番号補正手段とをさらに備える、請求項１〜請求項４のいずれかに記載の携帯端末。
【請求項６】
ＵＳＩＭ（Universal Subscriber Identity Module）カードドライバをさらに備え、
前記制御手段は、
前記番号入力手段に入力された電話番号を、前記ＵＳＩＭカードドライバにセットされたＵＳＩＭカードに記憶させ、
前記番号入力手段に入力された電話番号が前記特定の通信方式以外の通信方式に従った電話番号である場合には、当該入力された電話番号を前記特定の通信方式に従った電話番号に変換して、前記ＵＳＩＭカードドライバにセットされたＵＳＩＭカードに記憶させる、請求項１〜請求項５のいずれかに記載の携帯端末。
【発明の詳細な説明】
【技術分野】
【０００１】
本発明は、携帯端末に関し、特に、電話帳を登録可能であり、そして、当該電話帳への電話番号の登録態様に特徴のある携帯端末に関する。
【背景技術】
【０００２】
従来から、携帯電話機等の携帯端末は、電話帳を登録可能とされていた。これにより、携帯端末において、電話帳から電話番号を呼び出し、当該呼び出した電話番号を用いて電話をかけることができた。
【０００３】
また、特許文献１には、携帯電話機において、呼び出された電話番号が国際通話用の電話番号であるか否かを判断し、国内通話用の電話番号であり、かつ、国際発信がなされようという場合には、当該国内通話用の電話番号を国際通話用の電話番号に変換する技術が開示されている。なお、特許文献１には、さらに、携帯電話機において、所有者の国名が登録され、また、携帯電話機が現在接続しているネットワークを利用して現在位置している国を認識し、そして、登録されている国名と現在位置している国とを比較することにより、国際発信がなされようとしているのか否かを判断する技術も開示されている。
【特許文献１】特開平１１−３４１１４１号公報
【発明の開示】
【発明が解決しようとする課題】
【０００４】
つまり、上記したように、従来の技術では、使用者の登録した電話番号がそのまま電話帳に保存されていたため、国際通話が行なわれる際には、登録されている電話番号に、国番号をつけたり、国際プレフィックス番号をつけたりする必要があった。
【０００５】
一方、近年、相手がどこにいても、国番号と電話番号だけで電話をかけることができるＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式が使われている。
【０００６】
しかしながら、ＧＳＭ方式で電話をかけることができる国と、できない国が存在する。そして、ＧＳＭ方式では、国際発信を示す「＋」と、国番号とを、電話番号の前につけた番号で、電話をかけることができるが、一方で、ＧＳＭ方式で電話をかけることができない国の一例である日本では、国際電話事業者を選択するための国際電話事業者番号と、国際発信を示すプレフィックス番号である「０１０」と、国番号とを、電話番号の前につけた番号で、電話をかけなければならない。したがって、ＧＳＭ方式で電話をかけることができる国の電話番号と、かけることのできない国の電話番号が混在して電話帳に登録されている場合には、これらの電話番号を、同様に扱うことができず、つまり、同じフォーマットを用いて一元管理することができなかった。
【０００７】
本発明は、かかる実情に鑑み考え出されたものであり、その目的は、異なる方式に従って電話をかける電話番号が混在して記憶された場合であっても、これらの電話番号を同様に扱うことのできる携帯端末を提供することである。
【課題を解決するための手段】
【０００８】
本発明に従った携帯端末は、電話番号を入力する番号入力手段と、電話番号を含む情報である電話帳情報を記憶する電話帳記憶手段と、前記電話帳記憶手段に記憶された電話番号または前記番号入力手段に入力された電話番号に基づいて発信する発信手段と、外部の端末から発信された着呼信号を受信する着信手段と、前記番号入力手段に入力された電話番号を前記電話帳記憶手段に記憶させる制御手段とを備えることを特徴とする。なお、前記制御手段は、前記番号入力手段に入力された電話番号が、特定の通信方式以外の通信方式に従った電話番号である場合には、当該入力された電話番号を前記特定の通信方式に従った電話番号に変換して、前記電話帳記憶手段に記憶させる。
【０００９】
また、本発明に従った携帯端末では、前記特定の通信方式は、ＧＳＭ方式であり、前記制御部は、前記番号入力手段に入力された電話番号が、日本国内で発信できる電話番号である場合には、当該電話番号から、先頭にある日本の国内プレフィックス番号を除き、かつ、当該電話番号の先頭に、ＧＳＭ方式において国際発信を示す記号、および、当該国際発信を示す記号の次に国際事業者コードを、先頭に追加させて、前記電話帳記憶手段に記憶させることが好ましい。
【００１０】
また、本発明に従った携帯端末は、前記着信手段が受信した着呼信号の送信先の電話番号の履歴および／または前記発信手段が発信した電話番号の履歴を記憶する履歴記憶手段と、電話番号を表示手段と、前記履歴記憶手段に記憶された電話番号の中で、日本国内で受信した着呼信号についての電話番号、および、日本国内で発信された電話番号を、前記表示手段には、国番号を付けない態様で表示させ、前記履歴記憶手段には、国番号を付与して前記特定の通信方式に従った電話番号で記憶させる履歴制御手段とをさらに備えることが好ましい。
【００１１】
また、本発明に従った携帯端末は、電話番号を表示する表示手段と、前記番号入力手段に入力された電話番号および前記電話帳記憶手段に記憶された電話番号の中の、日本国内で発信できる電話番号を、日本国内で発信できる態様で前記表示手段に表示させる表示制御手段とをさらに備えることが好ましい。
【００１２】
また、本発明に従った携帯端末は、発信する場所についての情報を入力する場所入力手段と、前記場所入力手段に入力された場所が前記特定の通信方式で通信する場所であり、前記番号入力手段に入力された電話番号が当該特定の通信方式以外の通信方式に従った電話番号である場合には、前記入力された電話番号を当該特定の通信方式に従った電話番号となるように補正する番号補正手段とをさらに備えることが好ましい。
【００１３】
また、本発明に従った携帯端末は、ＵＳＩＭ（Universal Subscriber Identity Module）カードドライバをさらに備え、前記制御手段は、前記番号入力手段に入力された電話番号を、前記ＵＳＩＭカードドライバにセットされたＵＳＩＭカードに記憶させ、前記番号入力手段に入力された電話番号が前記特定の通信方式以外の通信方式に従った電話番号である場合には、当該入力された電話番号を前記特定の通信方式に従った電話番号に変換して、前記ＵＳＩＭカードドライバにセットされたＵＳＩＭカードに記憶させることが好ましい。
【発明の効果】
【００１４】
本発明によると、電話帳記憶手段に記憶される電話番号の従う電話の方式が、特定の通信方式に統一される。これにより、電話の方式の異なる複数の場所で電話帳記憶手段に記憶された電話番号が用いられて発信等の処理がなされる場合、電話帳記憶手段に記憶された電話番号に対して、その場所に応じた一律の処理がなされれば良いことになる。これにより、携帯端末が、異なる方式に従って電話をかける電話番号が混在して記憶された場合であっても、これらの電話番号を同様に扱うことができる。
【００１５】
また、本発明によると、日本と海外で同じ電話帳を使用して発信することができる。つまり、携帯端末は、日本で発信動作を行なう場合、入力された電話番号が国番号をつけられていない電話番号については、国内発信なのでそのまま発信動作を行なえばよい。一方、携帯端末が、電話帳記憶手段に記憶された電話番号を用いて国際電話をかける時、海外で使用される場合は、電話帳記憶手段に記憶されたまま、つまり、「＋」（ＧＳＭ方式において国際発信を示す記号）をつけたまま、発信動作を行なうが、日本国内で使用される場合は、電話帳記憶手段に記憶された電話番号に含まれる「＋」を国際電話事業者番号に変換した後、発信動作を行なう。これにより、ユーザは、余計な作業を行なわずに、発信を行なうエリアに関係なく、国際電話をかけることができる。
【００１６】
また、本発明によると、携帯端末が日本で使用される場合には、ＧＳＭ方式以外の通信方式が用いられるため、電話帳記憶手段に記憶されている［＋］［国番号］［電話番号］が、［国際電話事業者番号］［０１０］［国番号］［電話番号］に変換されて、発信が行なわれる。ただし［＋］［８１］［電話番号］というように電話帳記憶手段に記憶されている電話番号については、日本の電話番号なので、［＋８１］が［０］に置き換えられて、発信される。ＧＳＭ圏では、電話帳記憶手段に記憶されている電話番号のままで、発信されることが可能である。
【００１７】
また、本発明によると、日本で、ＧＳＭ方式以外のモード（通信方式）で、携帯端末が使用される際、電話帳記憶手段に電話番号を記憶させるときには、電話番号の頭につく［０］が除かれた後［＋８１］を追加されて、記憶される。ただし、当該電話番号は、ユーザに違和感を与えないように、［＋８１］が［０］に置き換えられて、表示される。この表示に関しては、ユーザが選択できるようにしても良い。そして、このような表示が行なわれることにより、日本の使用者には従来と同じ使い方ができる上に、当該携帯端末を海外（ＧＳＭ方式で通信を行なう国）に持ち出しても、日本国内と同様に使用することができる。
【発明を実施するための最良の形態】
【００１８】
図１は、本発明の一実施の形態である携帯端末の内部構成を示すブロック図である。
【００１９】
図１を参照して、携帯端末１は、当該携帯端末１におけるすべての構成要素の動作を全体的に制御する制御部１０を備えている。
【００２０】
また、携帯端末１は、着信履歴を保存しているメモリである着信履歴メモリ１５と、当該着信履歴メモリ１５に着信履歴を保存する着信履歴保存部１１と、キー操作等によって情報を入力する入力部１２と、電話帳を登録するメモリである電話帳メモリ１３と、ＧＳＭ方式で通信可能な携帯電話および３Ｇ携帯電話（第３世代携帯電話）で使用可能なＩＤ（identical）カード１００（ＳＩＭ（Subscriber Identity Module）カードまたはＵＳＩＭカード）に対して情報の読み書きが可能なＳＩＭ／ＵＳＩＭカードドライバ１４と、電話番号を表示させる表示部１６と、電話を受けるための着信部１７と、国際電話形式で登録されている番号を日本用の番号に変換する電話番号処理部１８と、電話を発信する発信部１９と、アンテナ２０と、発信部１９とアンテナ２０との間に接続され発信した電話番号の履歴を保存する発信履歴保存部２１とを、さらに備えている。なお、着信履歴保存部１１の保存する着信履歴は、着信部１７が受信した情報であって、外部の端末から受信した着呼信号に含まれる発信元の電話番号を含む。
【００２１】
携帯端末１が日本で使用される際には、携帯端末１では、まず、入力部１２によって、日本で使用する国際電話事業者番号が登録される。この登録のための動作は、たとえば、ユーザが、制御部１０によって表示部１６に表示されたメニュー画面から、対応するメニューを選択することによって、開始される。また、当該登録は、たとえば、制御部１０に予め登録された単数または複数の国際電話事業者番号が、当該制御部１０によって表示部１６に表示され、当該表示された国際電話事業者番号の中からユーザが入力部１２を用いて選択することにより、行なわれる。
【００２２】
また、携帯電話１では、国際電話事業者番号の登録の際に、同時に、国際電話識別番号である０１０の入力も、受付ける。
【００２３】
そして、携帯電話１では、国際電話事業者番号の登録および国際電話識別番号の入力がなされた後、電話帳登録のための動作が実行される。
【００２４】
図２は、制御部１０が、携帯電話１において電話帳登録がなされる際に、実行する処理のフローチャートである。以下、図２を参照して、携帯電話１における電話帳登録の際になされる動作を説明する。
【００２５】
まず、ＳＴＥＰ１で、制御部１０は、入力部１２において入力された電話番号を受付ける。
【００２６】
次に、ＳＴＥＰ２で、制御部１０は、ＳＴＥＰ１で受付けた電話番号の先頭に、「＋」記号がついているかどうかを判断する。そして、先頭に「＋」がついていると判断すると、ＳＴＥＰ３へ処理を進める。一方、ついていないと判断すると、ＳＴＥＰ４に処理を進める。
【００２７】
ＳＴＥＰ３では、制御部１０は、ＳＴＥＰ１で受付けた電話番号を国際電話形式の番号と認識して、ＳＴＥＰ６で、当該電話番号をそのまま電話帳メモリ１３に登録して、処理を終了する。
【００２８】
一方、ＳＴＥＰ４では、制御部１０は、ＳＴＥＰ１で入力を受付けた電話番号の先頭にある「０」を削除する。なお、当該電話番号の先頭が「０」ではない場合には、ＳＴＥＰ４では、当該電話番号に対して特に処理を行なわない。
【００２９】
そして、次に、制御部１０は、ＳＴＥＰ５で、ＧＳＭ方式において国際発信を示す記号である「＋」と、日本の国番号である「８１」とを、ＳＴＥＰ１で受付けた電話番号の先頭に付加する。そして、制御部１０は、ＳＴＥＰ６で、当該電話番号を電話帳メモリ１３に登録して、処理を終了する。
【００３０】
なお、本実施の形態では、着信履歴メモリ１５に着信履歴が保存される際も、図２に示したのと同様の処理がなされる。つまり、着信履歴保存部１１は、着呼信号に含まれる電話番号の先頭に「＋」記号がついていれば、当該電話番号をそのまま着信履歴メモリ１５へ記憶（保存）させる。一方、着呼信号に含まれる電話番号の先頭に「＋」がついていなければ、当該電話番号に対して、先頭の「０」を削除し、「＋」と「８１」とを先頭に付加した後、着信履歴メモリ１５へ記憶（保存）させる。
【００３１】
なお、電話帳メモリ１３に記憶された電話番号および着信履歴メモリ１５に記憶された電話番号は、表示部１６に表示される場合には、制御部１０によって、日本国内で発信されることができる態様に変換された後で、表示される。つまり、電話番号は、電話帳メモリ１３および着信履歴メモリ１５では、先頭に［＋８１］を付けられて記憶されているが、表示される際には、当該先頭の［＋８１］が［０］に置き換えられた後、表示される。
【００３２】
次に、携帯端末１を用いて国際電話を発信する場合に、制御部１０が実行する処理について、説明する。図３は、この場合に制御部１０が実行する国際電話発信処理のフローチャートである。
【００３３】
図３を参照して、まず制御部１０は、ＳＴＥＰ１１で、当該携帯端末１の位置登録を行なう。位置登録とは、携帯電話１の位置情報を、複数の携帯電話の位置を管理する位置登録センタに登録する処理のことを言う。そして、ＳＴＥＰ１１での位置登録では、制御部１０は、具体的には、次の処理を行なう。まず、制御部１０は、携帯端末１が一定時間ごとに基地局との間で送受信する情報に基づいて携帯電話１の位置を求める。そして、制御部１０は、求めた位置についての情報を、携帯電話１を同定する情報とともに、上記した位置登録センタに送信する。なお、制御部１０は、上記のように求めた携帯電話１の位置についての情報を、当該制御部１０内のメモリに保存し、また、当該情報を、上記の一定時間ごとに更新する。
【００３４】
次に、制御部１０は、ＳＴＥＰ１２で、電話番号の入力および発信キーに対する操作を受け付ける。なお、電話番号の入力とは、入力部１２から直接電話番号が制御部１０に入力されても良いし、入力部１２が操作されることにより電話帳メモリ１３に記憶された電話番号が読み出されて制御部１０に当該電話番号が入力されても良い。また、発信キーとは、入力部１２に設けられたキーの中の１つである。また、このとき入力された電話番号は、表示部１６に表示されるが、入力部１２から直接手入力で入力された電話番号はそのまま表示され、電話帳メモリ１３から読み出された電話番号は国際電話形式で登録されていても国内電話形式の番号で表示される。なお、国内電話形式の番号への変更は、制御部１０によって行なわれる。
【００３５】
次に、制御部１０は、ＳＴＥＰ１３で、ＧＳＭで発信しているのかＷ−ＣＤＭＡ（Code Division Multiple Access）で発信しているのかを判断し、電話番号を変換するかどうかを判断する。なお、ＳＴＥＰ１３における判断は、ＳＴＥＰ１１での位置登録の際の周波数帯に基づいて、行なわれる。
【００３６】
そして、制御部１０は、ＧＳＭで発信していると判断すると、そのままＳＴＥＰ１８に処理を進め、そのままの電話番号に基づいて発信し、国際電話発信処理を終了させる。
【００３７】
一方、ＳＴＥＰ１３でＷ−ＣＤＭＡで発信していると判断すると、制御部１０は、ＳＴＥＰ１４に処理を進める。
【００３８】
ＳＴＥＰ１４では、制御部１０は、発信する電話番号の先頭に「＋」がついているかどうか判断する。そして、「＋」がついていると判断すると、制御部１０は、ＳＴＥＰ１５に処理を進める。一方、「＋」がついていないと判断すると、制御部１０は、ＳＴＥＰ１８に処理を進め、そのままの電話番号に基づいて発信し、国際電話発信処理を終了させる。ただし、ＳＴＥＰ１４では、制御部１０は、電話番号の先頭に発信者番号通知のコード（＊３１＃、＃３１＃）が付与され、その後ろに「＋」が付与されているか否かを判断し、そのような場合には、例外としてＳＴＥＰ１５に処理を進める。
【００３９】
ＳＴＥＰ１５では、制御部１０は、国番号が日本の国番号「８１」であるか否かを判断する。そして、国番号が「８１」であると判断すると、ＳＴＥＰ１６で、電話番号処理部１８を用いて、電話番号の先頭の「＋８１」を「０」に変換する。ＳＴＥＰ１６でこのような処理が実行されるのは、ＳＴＥＰ１５で国番号が「８１」であると判断される場合は、Ｗ−ＣＤＭＡで日本国に発信する、つまり、日本国内から日本国内への発信であると考えられるからである。なお、ＳＴＥＰ１５では、制御部１０は、具体的に、電話番号の、先頭の「＋」を除いた後、先頭から二桁を取り出し、そして、当該二桁の番号が「８１」であるか否かを判断する。
【００４０】
一方、ＳＴＥＰ１５で国番号が「８１」ではないと判断した場合には、制御部１０は、ＳＴＥＰ１７で、電話番号処理部１８を用いて、電話番号の先頭の「＋」を、「国際事業者番号」「０１０」に変換する。これにより、電話番号は、日本からの国際電話発信形式に変換される。
【００４１】
ＳＴＥＰ１６またはＳＴＥＰ１７で、電話番号の変換を行なった後、制御部１０は、ＳＴＥＰ１８で、変換後の電話番号で、発信処理を行ない、国際電話発信処理を終了させる。
【００４２】
以上、図３を用いて説明した国際電話発信処理は、電話帳メモリ１３に記憶された電話番号を用いた発信だけでなく、入力部１２から直接手入力で入力された電話番号を用いた発信についても、有効にする。
【００４３】
これによって、本実施の形態の携帯端末１は、電話帳メモリ１３、ＳＩＭカードまたはＵＳＩＭカード等のＩＤカード１００、および、その他の外部メモリに登録されている電話番号を用いて、日本でも、海外でも国際電話をかけることができる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】本発明の一実施の形態である携帯端末の内部構成を示すブロック図である。
【図２】図１の携帯端末の制御部が実行する電話帳登録処理のフローチャートである。
【図３】図１の携帯端末の制御部が実行する国際電話発信処理のフローチャートである。
【符号の説明】
【００４６】
１  携帯端末、１０  制御部、１１  着信履歴保存部、１２  入力部、１３  電話帳メモリ、１４  ＳＩＭ／ＵＳＩＭカードドライバ、１５  着信履歴メモリ、１６  表示部、１７  着信部、１８  電話番号処理部、１９  発信部、２１  発信履歴保存部、１００  ＩＤカード。
【図１】
2005159799.tif 000003
【図２】
2005159799.tif 000004
【図３】
2005159799.tif 000005